(57)【特許請求の範囲】
【請求項１】
患者の容態を映像で監視する患者監視システムにおいて、
前記患者の映像を撮影する複数のカメラと、
該複数のカメラで撮影した映像をネットワーク回線を介して受信し、受信した映像を処理する表示処理装置と、
該表示処理装置で処理された複数のカメラの映像を集中して表示するディスプレイと、
前記表示処理装置に対し前記ディスプレイに表示する映像表示状態を指示する操作指示装置とを備え、
該操作指示装置は、前記複数のカメラの映像から前記ディスプレイに表示するカメラ映像とその表示位置を選択して、表示指示信号として前記表示処理装置へ送信することを特徴とする患者監視システム。
【請求項２】
請求項１記載の患者監視システムにおいて、
前記ディスプレイの各カメラ映像には、各映像に関連する文字情報を重畳して表示し、
該文字情報は前記操作指示装置にて入力し、表示指示信号として前記表示処理装置へ送信することを特徴とする患者監視システム。
【請求項３】
請求項１記載の患者監視システムにおいて、
前記表示処理装置は、受信したカメラ映像内の患者映像の時間的な変化量を検出する映像解析部と、前記ディスプレイに対し前記複数のカメラの映像を分割して表示させる表示処理部と、を有し、
前記患者映像の時間的な変化量が所定の閾値以上の時、前記表示処理部を介して前記ディスプレイ内の該当患者の映像上に警告文字を表示することを特徴とする患者監視システム。
【請求項４】
請求項３記載の患者監視システムにおいて、
前記映像解析部は、患者の身体を複数の部位に分け、各部位の映像の変化量を各部位の閾値と比較することを特徴とする患者監視システム。
【請求項５】
請求項１記載の患者監視システムにおいて、
前記患者の音声を集音する複数の音声マイクをさらに備え、
集音した患者の音声を前記表示処理装置を介して前記ディスプレイのスピーカから出力することを特徴とする患者監視システム。
【発明の詳細な説明】
【技術分野】
【０００１】
本発明は、病院等における患者の容態を監視する患者監視システムに関する。
【背景技術】
【０００２】
病院等においては、複数の患者の健康状態を集中して監視する必要がある。これに関する技術として、特許文献１には、患者の健康状態を評価して、その患者についての健康状態インジケータを生成して表示装置に表示するシステムが開示され、健康状態インジケータは、視覚的に伝えるように構成されている視覚的勾配を有することが記載されている。また特許文献２には、患者の生体情報を個別に検出するバイメタルセンサを病室に設置して、各バイメタルセンサのデータから各患者の安否情報を判断してモニターに集中表示する構成が記載されている。
【先行技術文献】
【特許文献】
【０００３】
【特許文献１】特開２００９−２９１６０６号公報
【特許文献２】特開２０１０−２８４２４５号公報
【発明の概要】
【発明が解決しようとする課題】
【０００４】
救命救急センターなどに設置される集中治療室（ＩＣＵ：Intensive Care Unit）では、各患者の健康状態（測定値）だけでなく容態（姿勢）や顔色について、患者から離れた場所（例えばスタッフステーション）で、スタッフが集中して監視できることが望ましい。前記特許文献１では、患者の健康状態（例えば心拍数、血圧、体温などの測定値）を視覚的に伝えるために、健康状態インジケータを生成して表示する構成としている。また前記特許文献２では、患者の呼吸数を圧力検知バイメタルセンサで検出して安否情報として伝える構成としている。しかしこれらは患者の健康状態の測定値であって、患者の容態（ベッド上の姿勢）や顔色を直接視覚的に伝える情報ではない。特にＩＣＵにおいては、患者の容態が急変する恐れがあり（暴れる、ベッドから転落するなど）、スタッフはこれをいち早く検知して迅速に処置を行う必要がある。前記特許文献１，２の構成では、これに対処することができない。
【０００５】
本発明の目的は、患者の容態や顔色の情報を直接視覚的に伝えることのできる患者監視システムを提供することである。
【課題を解決するための手段】
【０００６】
上記課題を解決するために、特許請求の範囲に記載の構成を採用する。その一例を挙げるならば、本発明の患者監視システムは、患者の映像を撮影する複数のカメラと、複数のカメラで撮影した映像をネットワーク回線を介して受信し、受信した映像を処理する表示処理装置と、表示処理装置で処理された複数のカメラの映像を集中して表示するディスプレイと、表示処理装置に対しディスプレイに表示する映像表示状態を指示する操作指示装置とを備え、操作指示装置は、複数のカメラの映像からディスプレイに表示するカメラ映像とその表示位置を選択して、表示指示信号として表示処理装置へ送信する構成とした。
【発明の効果】
【０００７】
本発明によれば、スタッフはスタッフステーションにいながら複数の患者の容態を映像により集中監視し、容態が急変した患者に対し迅速に処置を行うことができる。
【図面の簡単な説明】
【０００８】
【図１】本発明による患者監視システムの一実施例を示す全体構成図。
【図２】操作指示装置１３０による映像表示割当を行う画面例を示す図。
【図３】操作指示装置１３０による表示文字入力を行う画面例を示す図。
【図４】表示処理装置１２０における患者映像の解析手順を示すフローチャート。
【発明を実施するための形態】
【０００９】
図１は、本発明による患者監視システムの一実施例を示す全体構成図である。患者監視システム１００は、スタッフステーションに設置されたディスプレイ１１０と、表示処理装置１２０と、操作指示装置１３０と、各病床１５０ａ〜１５０ｐに設置されたカメラ１５１ａ〜１５１ｐと、音声マイク１５２ａ〜１５２ｐを有する。
【００１０】
カメラ１５１ａ〜１５１ｐでは監視対象の患者１５３ａ〜１５３ｐの映像（容態や顔色）を撮影する。音声マイク１５２ａ〜１５２ｐでは患者１５３ａ〜１５３ｐの音声を集音する。カメラ１５１ａ〜１５１ｐと音声マイク１５２ａ〜１５２ｐで取得した映像と音声信号は適宜圧縮処理され、患者の映像・音声データとして、ネットワーク回線１６０を介して表示処理装置１２０と操作指示装置１３０へ送信する。
【００１１】
表示処理装置１２０において、映像受信部１２４は送信された映像・音声データを受信し、適宜復号処理を行う。表示処理部１２１はディスプレイ１１０に対し、受信した各カメラ映像を分割して表示させる。ディスプレイ１１０には、各カメラ映像１１１ａ〜１１１ｐと各映像に関連する文字情報（ベッド番号など）１１２ａ〜１１２ｐを表示し、スタッフ１４０はこれを監視する。
【００１２】
この際表示処理装置１２０の指示受信部１２３は、操作指示装置１３０からの表示指示信号（映像分割数、映像表示位置、映像に関連する文字情報）を受信し、これに従って表示処理部１２１は表示条件を設定する。このとき、音声マイク１５２ａ〜１５２ｐから集音した音声をディスプレイ１１０のスピーカ（図示せず）から出力させることもできる。
【００１３】
映像解析部１２２は、受信したカメラ映像内の各患者映像の時間的な変化量（すなわち患者の身体の動き量）を検出する。変化量が閾値以上の場合、表示処理部１２１を介してディスプレイ１１０の該当患者の映像上に警告文字（Warning）１１３を表示する。これにより患者の容態に変化があることをスタッフ１４０へ通知する。図１の例では、ベッド１６の患者がベッドから転落する恐れがあり、警告文字を表示している状態である。
【００１４】
操作指示装置１３０において、映像受信部１３２はネットワーク回線１６０を介してカメラ１５１ａ〜１５１ｐから送信された映像データを受信し、適宜復号処理を行う。表示設定画面１３１は受信した全部のカメラ映像を表示するとともに、スタッフ１４０が操作してディスプレイ１１０に表示する映像の選択、画面分割数や表示位置を指示する。また、カメラ映像上に重畳して表示する文字情報（ベッド番号など）１１２ａ〜１１２ｐを入力する。これらの表示指示信号は、ネットワーク回線１６０を介し表示処理装置１２０に送信する。
【００１５】
この構成によれば、スタッフ１４０は、スタッフステーションにいながらディスプレイ１１０に表示されたカメラ映像を監視することで、監視対象の患者１５３ａ〜１５３ｐの容態や顔色を集中して把握することができる。
【００１６】
図２は、操作指示装置１３０による映像表示割当を行う画面例を示す図である。ディスプレイ１１０に表示するカメラ映像を割り当てるため、スタッフ１４０は表示設定画面１３１を映像表示割当画面２００に切り替える。映像表示割当画面２００では、画面分割数選択２０１、表示位置選択２０２、表示映像選択２０５、音声選択２０７などの操作を行う。このうち表示映像選択２０５の画面には、映像受信部１３２にて受信した全部のカメラ映像を表示している。
【００１７】
まず画面分割数選択２０１では、ディスプレイ１１０に表示するカメラ映像の分割数を選択する。例えば選択肢を、分割無し、４分割、９分割、１６分割とし、ここでは１６分割を選択したものとする。
【００１８】
次に表示位置選択２０２では、ディスプレイ１１０に表示するカメラ映像の表示位置を選択する。この画面では、前記選択した分割数（１６分割）に従い、Ｎｏ．１〜Ｎｏ．１６の表示位置が設定される。この中から、例えばＮｏ．１の表示位置を選択したとする。続いて表示映像選択２０５では、前記選択した表示位置（Ｎｏ．１）に対して割り当てる映像を全部のカメラ映像から選択する。例えば左上隅の映像（ベッド１）を選択したとする。その結果、ベッド１の映像がＮｏ．１の位置に表示される。
【００１９】
この映像表示割当は、マウスを使用したドラッグ＆ドロップでも可能である。表示映像選択２０５の映像から所望の映像２１０を選択し、表示位置選択２０２の所望位置にドラッグ＆ドロップ操作することで、簡単に割り当てを行うことができる。
【００２０】
表示解除ボタン２０３は、特定の表示位置の映像表示割当を解除するためのものであり、全解除ボタン２０４は、全ての表示位置の映像表示割当を解除するためのものである。いずれかの映像表示割当を行うと表示指示ボタン２０６が活性化し、表示指示ボタン２０６をクリックすると表示指示信号（映像分割数、映像表示位置）が表示処理装置１２０へ送信され、ディスプレイ１１０の表示画面に反映される。
【００２１】
音声選択ボタン２０７は、マイクで集音した音声を出力させるか否かを選択する。例えば、通常は非選択（オフ）にしておき、スタッフ１４０がディスプレイ１１０上の患者の映像に異変を感じた時に選択（オン）に切り替える。これにより、患者の容態の変化を映像だけでなく音声（叫び声）からも判断することができる。
【００２２】
このような映像割当機能により、患者数に応じてディスプレイ１１０の画面分割数を変更する（例えば、１６分割から４分割に変更する）ことで、各患者の映像を拡大して表示することができ、患者の容態、顔色の監視をより精密に行なうことができる。
【００２３】
図３は、操作指示装置１３０による表示文字入力を行う画面例を示す図である。ディスプレイ１１０のカメラ映像に重畳して表示する文字を入力するため、スタッフ１４０は表示設定画面１３１を表示文字入力画面３００に切り替える。表示文字入力画面３００は、各カメラ１５１ａ〜１５１ｐに対するカメラＩＤ３０１、設置場所３０２、表示文字入力３０３の欄で構成する。
【００２４】
スタッフ１４０は、各カメラ映像に重畳して表示したい文字列を表示文字入力３０３の欄に入力する。この文字列は、ベッド番号、患者の名前、医者の名前、特記事項などのカメラ映像に関連する任意の情報である。この例では「ベッド番号」を入力している。表示文字入力３０３の欄に文字を入力後、表示指示ボタン３０４をクリックすると、表示文字の指示信号が表示処理装置１２０へ送信され、ディスプレイ１１０の表示画面に反映される。
【００２５】
このように、各患者映像上に重畳して表示する文字を任意に設定することができ、例えば患者を識別する文字列を表示させることで患者の取り違えを防止できる。
【００２６】
図４は、表示処理装置１２０における患者映像の解析手順を示すフローチャートである。映像解析部１２２は各患者の映像について、所定時間（ｎ秒）間隔で映像解析を行う。
【００２７】
Ｓ４０１では、受信した映像データのうち患者の上部（頭部）の映像データを取得し、所定時間（ｎ秒）前の映像データと比較する。この場合、患者の容態変化を捉えるために、ｎは数秒〜数分程度とするのが好ましい。Ｓ４０２では、映像の変化量（頭部の動き量でも良い）を算出し、変化量が閾値ｍ１以上かどうかを判定する。閾値ｍ１以上の場合はＳ４０７へ進み、閾値ｍ１未満の場合はＳ４０３へ進む。
【００２８】
Ｓ４０３では、受信した映像データのうち患者の中部（腹部）の映像データを取得し、所定時間（ｎ秒）前の映像データと比較する。Ｓ４０４では、映像の変化量（動き量）を算出し、変化量が閾値ｍ２以上かどうかを判定する。閾値ｍ２以上の場合はＳ４０７へ進み、閾値ｍ２未満の場合はＳ４０５へ進む。
【００２９】
Ｓ４０５では、受信した映像データのうち患者の下部（足部）の映像データを取得し、所定時間（ｎ秒）前の映像データと比較する。Ｓ４０６では、映像の変化量（動き量）を算出し、変化量が閾値ｍ３以上かどうかを判定する。閾値ｍ３以上の場合はＳ４０７へ進み、閾値ｍ３未満の場合は終了する（次の映像の解析を行う）。
【００３０】
Ｓ４０７では、表示処理部１２１はディスプレイ１１０内の該当患者のカメラ映像上に警告文字１１３を重ねて表示する。このとき、合わせて警告音を発するようにしても良い。
【００３１】
上記の解析では、患者映像の変化量を身体の部位に分けて比較しているが、これは、警告を発する変化量の閾値が身体の部位によって異なるからである。例えば、腹部の動きは元々小さいので腹部閾値ｍ２は小さくし、頭部や足部の動きは元々大きいので頭部閾値ｍ１と足部閾値ｍ３は大きくする。これにより、より的確に患者容態の変化を検知することができる。なお、身体の部位のどこに注目するか、また閾値の大きさは適宜決定すればよい。
このように、患者の身体の変化量（動き量）を検出し、変化量が閾値以上のとき自動的に警告を発するので、患者の容態の変化をより確実に検知することができる。
【００３２】
本発明は上記実施例に限定されるものではなく、様々な変形例が含まれる。例えば、上記実施例は本発明を分かりやすく説明するために詳細に説明したものであり、必ずしも説明した全ての構成を備えるものに限定されるものではない。また、上記実施例の構成の一部について、他の構成の追加・削除・置換をすることが可能である。
【符号の説明】
【００３３】
１００：患者監視システム、
１１０：ディスプレイ、
１１１ａ〜１１１ｐ：カメラ映像、
１１２ａ〜１１２ｐ：カメラ映像に重畳する文字情報、
１１３：警告文字、
１２０：表示処理装置、
１２１：表示処理部、
１２２：映像解析部、
１２３：指示受信部、
１２４：映像受信部、
１３０：操作指示装置、
１３１：表示設定画面、
１３２：映像受信部、
１４０：スタッフ、
１５０ａ〜１５０ｐ：病床、
１５１ａ〜１５１ｐ：カメラ、
１５２ａ〜１５２ｐ：音声マイク、
１５３ａ〜１５３ｐ：患者、
１６０：ネットワーク回線、
２００：映像表示割当画面、
２０１：画面分割数選択、
２０２：表示位置選択、
２０５：表示映像選択、
２０７：音声選択、
３００：表示文字入力画面、
３０３：表示文字入力。
【図１】
0006047082.tif 000002
【図２】
0006047082.tif 000003
【図３】
0006047082.tif 000004
【図４】
0006047082.tif 000005